(57)【要約】【課題】  ファクシミリ通信を受信した時に通信相手に関する情報をＥＮＵＭにより取得して出力することで通信相手をより分かりやすくする情報通信装置およびその制御方法を提供する。【解決手段】  通信相手の識別情報を取得する識別情報取得手段と、識別情報取得手段で取得した通信相手の識別情報に基づきＤＮＳサーバに問い合わせることにより通信相手の識別情報に対応した少なくとも１つのＮＡＰＴＲリソースレコードを取得するＤＮＳ問合せ手段と、ＤＮＳ問い合わせ手段で取得したＮＡＰＴＲリソースレコードからアドレスの宛先情報を抽出する宛先情報抽出手段と、宛先情報抽出手段で抽出したアドレスを出力する出力手段とを具備する。【選択図】  図２
2007088934.tif 000002
【特許請求の範囲】
【請求項１】
通信相手の識別情報を取得する識別情報取得手段と、
前記識別情報取得手段で取得した前記通信相手の識別情報に基づきＤＮＳサーバに問い合わせることにより前記通信相手の識別情報に対応した少なくとも１つのＮＡＰＴＲリソースレコードを取得するＤＮＳ問合せ手段と、
前記ＤＮＳ問い合わせ手段により取得したＮＡＰＴＲリソースレコードからアドレスの宛先情報を抽出する宛先情報抽出手段と、
前記宛先情報抽出手段で抽出したアドレスを出力する出力手段と
を具備することを特徴とする情報通信装置。
【請求項２】
前記識別情報は、
前記通信相手の端末識別番号に対応付けされた電話番号である
ことを特徴とする請求項１記載の情報通信装置。
【請求項３】
前記識別情報は、
交換機側から送信される前記通信相手の発呼側電話番号である
ことを特徴とする請求項１記載の情報通信装置。
【請求項４】
前記ＤＮＳ問合せ手段は、
前記識別情報取得手段で取得した前記通信相手の端末識別番号に対応付けされた電話番号に基づきＤＮＳサーバに問い合わせることによりＮＡＰＴＲリソースレコードが取得できなかった場合は、前記識別情報取得手段で取得した前記通信相手の発呼側電話番号に基づきＤＮＳサーバに問い合わせて前記通信相手の発呼側電話番号に対応した少なくとも１つのＮＡＰＴＲリソースレコードが取得すること
を特徴とする請求項１記載の情報通信装置。
【請求項５】
前記ＤＮＳ問合せ手段は、
前記識別情報取得手段で取得した前記通信相手の発呼側電話番号に基づきＤＮＳサーバに問い合わせることによりＮＡＰＴＲリソースレコードが取得できなかった場合は、前記識別情報取得手段で取得した前記通信相手の端末識別番号に対応付けされた電話番号に基づきＤＮＳサーバに問い合わせて前記通信相手の端末識別番号に対応付けされた電話番号に対応した少なくとも１つのＮＡＰＴＲリソースレコードを取得すること
を特徴とする請求項１記載の情報通信装置。
【請求項６】
前記ＤＮＳ問合せ手段でＤＮＳサーバに問い合わせる際に前記通信相手の識別情報のうちの前記端末識別番号に対応付けされた電話番号もしくは前記発呼側電話番号のうちの何れかの番号を使ってＤＮＳサーバに問い合わせるか、もしくは前記各番号を使ってＤＮＳサーバに問い合わせる際に前記各番号のうちの何れを最初に使ってＤＮＳサーバに問い合わせるかの情報を設定する情報設定手段を具備し、
前記ＤＮＳ問合せ手段は、
前記情報設定手段で設定された情報に応じて前記通信相手の識別情報に基づきＤＮＳサーバに問い合わせることにより前記通信相手の識別情報に対応した少なくとも１つのＮＡＰＴＲリソースレコードを取得すること
を特徴とする請求項２または３記載の情報通信装置。
【請求項７】
通信相手の識別情報を識別情報取得手段で取得し、
前記識別情報取得手段により取得した前記通信相手の識別情報に基づきＤＮＳ問合せ手段でＤＮＳサーバに問い合わせることにより前記通信相手の識別情報に対応した少なくとも１つのＮＡＰＴＲリソースレコードを取得し、
前記ＤＮＳ問い合わせ手段により取得したＮＡＰＴＲリソースレコードからアドレスの宛先情報を宛先情報抽出手段で抽出し、
前記宛先情報抽出手段により抽出したアドレスを出力手段で出力する
ことを特徴とする情報通信装置の制御方法。
【請求項８】
前記識別情報は、
前記通信相手の端末識別番号に対応付けされた電話番号もしくは交換機側から送信される前記通信相手の発呼側電話番号であり、
前記ＤＮＳ問合せ手段でＤＮＳサーバに問い合わせる際に前記端末識別番号に対応付けされた電話番号もしくは前記発呼側電話番号のうちの何れの番号を使ってＤＮＳサーバに問い合わせるか、もしくは前記各番号を使ってＤＮＳサーバに問い合わせる際に前記各番号のうちの何れを最初に使ってＤＮＳサーバに問い合わせるかの情報を情報設定手段で設定し、
前記情報設定手段で設定された情報に応じて前記通信相手の各番号に基づき前記ＤＮＳ問合せ手段でＤＮＳサーバに問い合わせることにより前記通信相手の識別情報に対応した少なくとも１つのＮＡＰＴＲリソースレコードを取得すること
を特徴とする請求項７記載の情報通信装置の制御方法。
【発明の詳細な説明】
【技術分野】
【０００１】
本発明は、情報通信装置およびその制御方法に関し、特に、ファクシミリ通信を受信した時に通信相手に関する情報をＥＮＵＭにより取得して出力することで通信相手をより分かりやすく通知する情報通信装置およびその制御方法に関する。
【背景技術】
【０００２】
近年、電話通信やファクシミリ通信等が可能な通信装置において、発呼を受けた際に発呼側の電話番号等の識別情報を取得して通信開始に先立ち通信相手をユーザに知らせたり、また、予めユーザが登録操作することで相手局からの発呼に対して通信を継続するかもしくは拒否する処理機能を備えた装置が普及している。
【０００３】
通信の相手局を識別する情報としては、通信プロトコルにより得られる相手局の端末識別情報や交換機から送信される発呼側電話番号等があるが、これらの情報を取得してそのまま出力してもこれらの情報が番号列で構成されているためにユーザにとっては通信相手を特定することが困難である。
【０００４】
そこで、例えば特許文献１には、記録用紙や管理レポートの発呼者の欄により確実に発呼者が特定でき、また管理上の利便性を向上させたファクシミリ装置が提案されている。  
この提案で示されるファクシミリ装置は、相手局の端末識別情報や交換機から送信される発呼側電話番号を検索キーとして、自局の短縮ダイヤルリストに登録された情報を検索し、相手局の端末識別情報や発呼側電話番号と一致する情報が存在すれば当該情報の文字列を出力することで通信相手がより認識できるように構成されたものである。
【特許文献１】特開平０８−１１６４２６号公報
【発明の開示】
【発明が解決しようとする課題】
【０００５】
ところで、上記特許文献１に提案されるファクシミリ装置では、予め相手局の情報が短縮ダイヤルリストに登録されていなければ相手局の端末識別情報や発呼側電話番号を取得したとしても相手局を確実に認識できる情報を出力することができない。
【０００６】
そこで、本発明は、ファクシミリ通信を受信した時に通信相手に関する情報をＥＮＵＭにより取得して出力することで通信相手をより分かりやすく通知する情報通信装置およびその制御方法を提供することを目的とする。
【課題を解決するための手段】
【０００７】
上記目的を達成するため、請求項１の発明は、通信相手の識別情報を取得する識別情報取得手段と、前記識別情報取得手段で取得した前記通信相手の識別情報に基づきＤＮＳサーバに問い合わせることにより前記通信相手の識別情報に対応した少なくとも１つのＮＡＰＴＲリソースレコードを取得するＤＮＳ問合せ手段と、前記ＤＮＳ問い合わせ手段により取得したＮＡＰＴＲリソースレコードからアドレスの宛先情報を抽出する宛先情報抽出手段と、前記宛先情報抽出手段で抽出したアドレスを出力する出力手段とを具備する情報通信装置であることを特徴とする。
【０００８】
また、請求項２の発明は、請求項１の発明において、前記識別情報は、前記通信相手の端末識別番号に対応付けされた電話番号であることを特徴とする。
【０００９】
また、請求項３の発明は、請求項１の発明において、前記識別情報は、交換機側から送信される前記通信相手の発呼側電話番号であることを特徴とする。
【００１０】
また、請求項４の発明は、請求項１の発明において、前記ＤＮＳ問合せ手段は、前記識別情報取得手段で取得した前記通信相手の端末識別番号に対応付けされた電話番号に基づきＤＮＳサーバに問い合わせることによりＮＡＰＴＲリソースレコードが取得できなかった場合は、前記識別情報取得手段で取得した前記通信相手の発呼側電話番号に基づきＤＮＳサーバに問い合わせて前記通信相手の発呼側電話番号に対応した少なくとも１つのＮＡＰＴＲリソースレコードが取得することを特徴とする。
【００１１】
また、請求項５の発明は、請求項１の発明において、前記ＤＮＳ問合せ手段は、前記識別情報取得手段で取得した前記通信相手の発呼側電話番号に基づきＤＮＳサーバに問い合わせることによりＮＡＰＴＲリソースレコードが取得できなかった場合は、前記識別情報取得手段で取得した前記通信相手の端末識別番号に対応付けされた電話番号に基づきＤＮＳサーバに問い合わせて前記通信相手の端末識別番号に対応付けされた電話番号に対応した少なくとも１つのＮＡＰＴＲリソースレコードを取得することを特徴とする。
【００１２】
また、請求項６の発明は、請求項２または３の発明において、前記ＤＮＳ問合せ手段でＤＮＳサーバに問い合わせる際に前記通信相手の識別情報のうちの前記端末識別番号に対応付けされた電話番号もしくは前記発呼側電話番号のうちの何れかの番号を使ってＤＮＳサーバに問い合わせるか、もしくは前記各番号を使ってＤＮＳサーバに問い合わせる際に前記各番号のうちの何れを最初に使ってＤＮＳサーバに問い合わせるかの情報を設定する情報設定手段を具備し、前記ＤＮＳ問合せ手段は、前記情報設定手段で設定された情報に応じて前記通信相手の識別情報に基づきＤＮＳサーバに問い合わせることにより前記通信相手の識別情報に対応した少なくとも１つのＮＡＰＴＲリソースレコードを取得することを特徴とする。
【００１３】
また、請求項７の発明は、通信相手の識別情報を識別情報取得手段で取得し、前記識別情報取得手段により取得した前記通信相手の識別情報に基づきＤＮＳ問合せ手段でＤＮＳサーバに問い合わせることにより前記通信相手の識別情報に対応した少なくとも１つのＮＡＰＴＲリソースレコードを取得し、前記ＤＮＳ問い合わせ手段により取得したＮＡＰＴＲリソースレコードからアドレスの宛先情報を宛先情報抽出手段で抽出し、前記宛先情報抽出手段により抽出したアドレスを出力手段で出力する情報通信装置の制御方法であることを特徴とする。
【００１４】
また、請求項８の発明は、請求項７の発明において、前記識別情報は、前記通信相手の端末識別番号に対応付けされた電話番号もしくは交換機側から送信される前記通信相手の発呼側電話番号であり、前記ＤＮＳ問合せ手段でＤＮＳサーバに問い合わせる際に前記端末識別番号に対応付けされた電話番号もしくは前記発呼側電話番号のうちの何れの番号を使ってＤＮＳサーバに問い合わせるか、もしくは前記各番号を使ってＤＮＳサーバに問い合わせる際に前記各番号のうちの何れを最初に使ってＤＮＳサーバに問い合わせるかの情報を情報設定手段で設定し、前記情報設定手段で設定された情報に応じて前記通信相手の各番号に基づき前記ＤＮＳ問合せ手段でＤＮＳサーバに問い合わせることにより前記通信相手の識別情報に対応した少なくとも１つのＮＡＰＴＲリソースレコードを取得することを特徴とする。
【発明の効果】
【００１５】
本発明の情報通信装置およびその制御方法によれば、通信相手に関する情報をＥＮＵＭにより取得して出力するのでファクシミリ通信中に表示パネルを見て通信相手を確認する、あるいは通信終了後に通信履歴レポートを作成して確認した時に通信相手がより分かりやすくなるという効果を奏する。
【発明を実施するための最良の形態】
【００１６】
以下、本発明に係わる情報通信装置の一実施例について添付図面を参照して詳細に説明する。
【００１７】
図１は本発明に係わる情報通信装置１００の接続状態の一例を示した概略図である。
【００１８】
図１に示すように、情報通信装置１００は、インターネット１８０や公衆網電話回線（ＰＳＴＮ）２００と接続されており、インターネット１８０には電子メール通信が可能なコンピュータ２０及びインターネットＦＡＸ装置（＝ｉＦＡＸ）３０等の各端末装置が接続され、公衆網電話回線（ＰＳＴＮ）２００には、ファクシミリ機能を有する相手局端末１０や図示せぬファクシミリ装置、電話機等の各種端末装置が接続されている。
【００１９】
また、インターネット１８０には、ＥＮＵＭ技術を適用したＥＮＵＭシステム４０が接続され、ＥＮＵＭシステム４０を構成するＥＮＵＭ用のＤＮＳ１９０（以下、「ＥＮＵＭ用ＤＮＳ１９０」という。）と接続されている。
【００２０】
ここで言うＥＮＵＭとは、ＩＴＵ−ＴのＥ．１６４勧告に基づく電話番号をキーとしてＥＮＵＭ用ＤＮＳ１９０に登録されたＮＡＰＴＲ（＝Ｎａｍｉｎｇ  Ａｕｔｈｏｒｉｔｙ  Ｐｏｉｎｔｅｒ）−ＲＲ（＝Ｒｅｓｏｕｒｃｅ  Ｒｅｃｏｒｄ）を検索し、Ｅ．１６４勧告に基づく電話番号に対応するひとつまたは複数のアプリケーションをＵＲＩ（＝Ｕｎｉｆｏｒｍ  Ｒｅｓｏｕｒｃｅ  Ｉｎｄｉｃａｔｏｒ）形式で取得できる機構である。
【００２１】
ＮＡＰＴＲ−ＲＲは、電話番号に基づくドメイン名に対応付けられた通信種別、例えば通信プロトコル等の種別や通信相手のアドレス等の情報を記録したものであり、詳細は後述する。
【００２２】
ＥＮＵＭにより、ひとつのＥ．１６４に基づく電話番号をインターネット１８０上の利用可能なひとつまたは複数のアプリケーションに対応付けることができることから、Ｅ．１６４に基づく電話番号に対する電話以外の通信手段を統合的に提供することが可能であり、また電話番号に対応付けられたひとつまたは複数のインターネット資源のアドレスであるＵＲＬ（＝Ｕｎｉｆｏｒｍ  Ｒｅｓｏｕｒｃｅ  Ｌｏｃａｔｏｒ）情報を取得することができる。
【００２３】
図１に示すように、情報通信装置１００は、通信相手のＥ．１６４に基づく電話番号に基づきＥＮＵＭ用ＤＮＳ１９０に登録された通信相手の端末装置の電話番号に対応付けられたＵＲＬ情報や通信相手の端末装置が利用可能な通信手段及びアドレス等の情報が記録されたＮＡＰＴＲ−ＲＲ情報を参照し、通信相手のＵＲＬ情報や通信相手の端末装置に相応しい通信手段に対応したアプリケーションを起動して通信を行うことを可能にする。
【００２４】
例えば通信相手である相手局端末１０からファクシミリ通信を受けた場合は、相手局端末１０の端末識別番号から相手局端末１０のファクシミリ電話番号を特定し、この電話番号に対応付けられたドメイン名でＥＮＵＭ用ＤＮＳ１９０に問い合わせると、当該ドメイン名に対応付けられたＮＡＰＴＲ−ＲＲ情報がＥＮＵＭ用ＤＮＳ１９０から返信される。  
ＮＡＰＴＲ−ＲＲ情報中のサービスフィールドが例えば「”ｈｔｔｐ＋Ｅ２Ｕ”」であれば後に続く文字列がＵＲＬ情報であることが認識され、例えば「ｈｔｔｐ：／／ｗｗｗ．ｆｕｊｉｘｅｒｏｘ．ｃｏ．ｊｐ／ｋｅｉｒｉ／」という情報を得たとすると、これにより通信相手の相手局端末１０が「ｗｗｗ．ｆｕｊｉｘｅｒｏｘ．ｃｏ．ｊｐ／ｋｅｉｒｉ／」のＵＲＬに対応付けられていることが認識できる。
【００２５】
また、ＮＡＰＴＲ−ＲＲ情報で、例えば「ｓｉｐ：ｉｎｆｏ＠ｎｉｃ．ａｄ．ｊｐ」というＵＲＩを得たとすると、これによりアプリケーションプログラムは、「ｓｉｐ：ｉｎｆｏ＠ｎｉｃ．ａｄ．ｊｐ」に対してＳＩＰを用いて相手局端末１０とのセッションを確立することが可能であることを認識することができる。
【００２６】
また、相手局端末１０がインターネットＦＡＸ通信をサポートしているならば情報通信装置１００は、例えばインターネットＦＡＸ通信が可能なアプリケーションやプロトコル等を起動してインターネットＦＡＸ通信を行うことも可能である。
【００２７】
なお、アプリケーションとしては電話、ＳＩＰ、Ｈ．３２３、ファクシミリ、電子メール、インスタントメッセンジャー、インターネット電話、電子メール、ＷＷＷ等が想定される。
【００２８】
このような情報通信が可能な情報通信装置１００の構成について図２を参照して詳細に説明する。
【００２９】
図２は、本発明に係わる情報通信装置１００の機能的な構成の一例を示すブロック図である。
【００３０】
図２に示すように、情報通信装置１００は、公衆網電話回線２００やインターネット１８０を介して情報の送受信が可能なように構成されており、インターネット１８０にはＥ．１６４の電話番号に基づくドメイン名に対応したＮＡＰＴＲ−ＲＲ情報を提供するＥＮＵＭ用ＤＮＳ１９０が接続されている。
【００３１】
情報通信装置１００は、情報通信装置１００の全体を統括制御するシステム制御部１０１と、所定の解像度で原稿画像を読み取るスキャナ部１０３と、所定の解像度で画像を記録出力するプリンタ部１０４と、情報通信装置１００の設定情報の設定や動作指示等を行う際の操作で使用される各種操作キーおよび各種情報を表示する表示部をもつ操作／表示部１０５と、スキャナ部１０３から読み込まれた画像または、受信した画像を蓄積する画像蓄積部１０２と、システムデータや通信相手先のアドレス等の情報を記憶するＲＡＭ（＝Ｒａｎｄｏｍ  Ａｃｃｅｓｓ  Ｍｅｍｏｒｙ）１０６と、公衆網電話回線２００を介して画情報の送受信の処理を行うＦＡＸ部１２０と、インターネット１８０を介してＥＮＵＭ用ＤＮＳ１９０との間で送受信される情報の処理及び送受信の制御を行うＥＮＵＭ用ＤＮＳ処理部１３０と、ＨＴＴＰ、ＳＩＰ等のトランスポートプロトコルやＥＮＵＭ更新情報の通信に使用するトランスポートプロトコル制御部１４０と、電子メール型インターネットファクシミリ通信方法で画情報等の送受信の処理を行う電子メールｉＦＡＸ部１４０と、インターネット１８０のトランスポート層とネットワーク層のプロトコル制御を行うＴＣＰ（＝Ｔｒａｎｓｍｉｓｓｉｏｎ  Ｃｏｎｔｒｏｌ  Ｐｒｏｔｏｃｏｌ）／ＵＤＰ（＝Ｕｓｅｒ  Ｄａｔａｇｒａｍ  Ｐｒｏｔｏｃｏｌ）／ＩＰ（＝Ｉｎｔｅｒｎｅｔ  Ｐｒｏｔｏｃｏｌ）制御部１０８（以下、「ＴＣＰ／ＵＤＰ／ＩＰ制御部１０８」という。）と、データリンク層以下の通信制御を行うネットワークインタフェース１０９を備えており、これら各部の制御信号及びデータ信号等がバス１０７を介して送受信される。
【００３２】
また、情報通信装置１００とインターネット１８０とは、例えばＬＡＮ（＝Ｌｏｃａｌ  Ａｒｅａ  Ｎｅｔｗｏｒｋ）等の構内ネットワーク１７０を介して接続されており、構内ネットワーク１７０には、インターネット１８０と情報通信装置１００とが情報の送受信可能なように必要な図示せぬサーバ等が設置され、サーバが構内ネットワーク１７０に接続された情報通信装置１００や各種端末装置の管理を行っている。
【００３３】
なお、通信装置１００とインターネット１８０とは構内ネットワーク１７０を介さずに直接接続されていてもよく、またＥＮＵＭ用ＤＮＳ１９０を構内ネットワーク１７０内に構築して接続した構成であってもよい。
【００３４】
ＦＡＸ部１２０は、画情報の送受信時に画像の解像度、サイズ、符号則等を変換処理する通信画像処理部１２１と、ＩＴＵ−Ｔ勧告Ｔ．３０が規定するプロトコル制御を行うＴ３０制御部１２２と、アナログ信号とデジタル信号の変復調を行うモデム１２３と、公衆網電話回線２００との接続制御を行うＮＣＵ（＝Ｎｅｔｗｏｒｋ  Ｃｏｎｔｒｏｌ  Ｕｎｉｔ）１２５を備えている。
【００３５】
また、電子メールｉＦＡＸ部１５０は、画情報の送受信時に画像の解像度、サイズ、符号則等を変換処理する通信画像処理部１５１と、ＩＴＵ−Ｔ勧告Ｔ．３７が規定するインターネットファックスのプロトコル制御を行うＴ３７制御部１５２と、既存の電子メールの送受信制御を行うためのＳＭＴＰ(＝Ｓｉｍｐｌｅ  Ｍａｉｌ  Ｔｒａｎｓｆｅｒ  Ｐｒｏｔｏｃｏｌ）制御を行うＳＭＴＰ制御部１５３を備えている。
【００３６】
なお、電子メールｉＦＡＸ部１５０はスキャンした画情報を指定された宛先に指定されたファイルフォーマットで電子メール送信するサービス(＝Ｓｃａｎ  ｔｏ  Ｅｍａｉｌ)に加え、ＩＴＵ−Ｔ勧告Ｔ．３７のｉＦＡＸ通信サービスの画情報送受信もサポートし、通信画像処理部１５１を備えることにより、メールサーバーを介さずに通信相手の端末装置と直接通信を行うリアルタイム型のｉＦＡＸ通信方式(ＩＥＴＦで制定されつつあるＤｉｒｅｃｔ  ＳＭＴＰ方式)もサポート可能である。
【００３７】
ＥＮＵＭ用ＤＮＳ処理部１３０は、ＥＮＵＭ用ＤＮＳ１９０に対して問い合わせを行い、問い合わせに対してＥＮＵＭ用ＤＮＳ１９０から返信されてくるＮＡＰＴＲ−ＲＲ情報を受信し、受信した情報に基づき後述する各種処理を行う。
【００３８】
ところで、このように構成された本発明に係わる情報通信装置１００は、ファクシミリ通信を受信した場合に通信相手に関する情報をＥＮＵＭ用ＤＮＳ１９０から取得して操作／表示部１０５に表示する機能を有しており、この機能により通信相手をより分かりやく通知することができる。
【００３９】
この機能の処理動作の詳細について図３に示すフローチャートを参照して説明する。
【００４０】
なお、情報通信装置１００が受信中のファクシミリ通信の通信相手を説明の便宜上、図１で示した相手局端末１０として説明する。
【００４１】
図３に示すように、情報通信装置１００のシステム制御部１０１は、公衆網電話回線２００を介して相手局端末１０から情報通信装置１００に対して発呼され、相手局端末１０と情報通信装置１００との間で所定の信号が送受信された後、相手局端末１０から送信された信号に含まれる相手局端末１０の端末識別番号を読み取る（ステップＳ３０１）。
【００４２】
システム制御部１０１は、読み取った端末識別番号（以下、「読取端末識別番号」という。）からＲＡＭ１０６に予め保持された図示せぬ端末識別情報対応表を参照して読取端末識別番号に対応するファクシミリ通信電話番号を特定し、特定したファクシミリ通信電話番号に基づきＥＮＵＭ用ＤＮＳ処理部１３０が当該ファクシミリ通信電話番号をＥＮＵＭ形式のアドレスに変換後（ステップＳ３０２）、変換されたＥＮＵＭ形式のアドレス情報に基づきＥＮＵＭ用ＤＮＳ１９０に対して問い合わせを行う（ステップＳ３０３）。
【００４３】
なお、ここで言う端末識別情報対応表とは、情報通信装置１００に予め登録された通信相手の電話番号（電話通信の場合）、ファクシミリ通信電話番号（ファクシミリ通信の場合）と、各電話番号に対応する各通信相手装置固有の端末識別番号とを対応付けてテーブル化した表である。
【００４４】
電話番号やファクシミリ通信電話番号の各電話番号からＥＮＵＭ形式のアドレスに変換する方法は、具体的には、例えば日本国において、電話番号が「０３−１２３−４５６７」とすると、日本の市外局番から始まる電話番号を基に、先頭の「０」を削除し、Ｅ．１６４番号規定に基づき日本国の国コード「８１」を付加して数字以外の記号を除いて数字間にドット「．」を付加した「８．１．３．１．２．３．４．５．６．７」に変換し、更に数字を逆順にして末尾に文字列「．ｅ１６４．ａｒｐａ」を付加した「７．６．５．４．３．２．１．３．１．８．ｅ１６４．ａｒｐａ」の文字列のドメイン名に変換する。
【００４５】
このように変換して得られたＥＮＵＭ形式のアドレス（以下、「ドメイン名」という。）は、ＴＣＰ／ＵＤＰ／ＩＰ制御部１０８とネットワークインタフェース１０９及び構内ネットワーク１７０を介してインターネット１８０に接続されたＥＮＵＭ用ＤＮＳ１９０に送信され、当該ドメイン名に対応したＮＡＰＴＲ−ＲＲ情報が参照され、参照結果がＥＮＵＭ用ＤＮＳ１９０から情報通信装置１００へ通知される。
【００４６】
ＥＮＵＭ用ＤＮＳ１９０には、図４に示すようなＩＴＵ−ＴのＥ．１６４勧告に基づく各電話番号に対応したドメイン名と、ドメイン名に対応付けられたアドレスや通信手段、通信手段の優先順位等の情報を記録したＮＡＰＴＲ−ＲＲ情報４００が図示せぬデータベースに登録されている。
【００４７】
なお、図４は、ＥＮＵＭ用ＤＮＳ１９０に登録されたＮＡＰＴＲ−ＲＲ情報４００の一例を示す図であり、図４に示すように、ＮＡＰＴＲ−ＲＲ情報４００は、一つのドメイン名に対して複数のリソースレコードが定義できるように構成されている。
【００４８】
具体的には、ＮＡＰＴＲ−ＲＲ情報４００は、「＄ＯＲＩＧＩＮ」行と、「ＩＮ  ＮＡＰＴＲ」行とで構成され、「＄ＯＲＩＧＩＮ」行にはドメイン名、「ＩＮ  ＮＡＰＴＲ」行には、「＄ＯＲＩＧＩＮ」行のドメイン名に対応付けられたアドレスや通信手段のプロトコル・サービス等の情報を記録して登録可能なように構成されている。
【００４９】
例えば、ドメイン名「７．６．５．４．３．２．１．３．１．８．ｅ１６４．ａｒｐａ」に対応したＮＡＰＴＲ−ＲＲ情報４２０は、「ＩＮ  ＮＡＰＴＲ  １００  １０  ”Ｕ”  ”ｈｔｔｐ＋Ｅ２Ｕ”  ”！＾．＊＄！  ｈｔｔｐ：／／ｗｗｗ．ｆｕｊｉｘｅｒｏｘ．ｃｏ．ｊｐ／ｋｅｉｒｉ／！」等の書式で定義されたＵＲＬのアドレス情報に対応付けられている。
【００５０】
情報通信装置１００がＥＮＵＭ用ＤＮＳ１９０へ問い合わせを行い、相手局端末１０に関連する情報をＥＮＵＭ用ＤＮＳ１９０から取得する際の情報の流れは、図５に示すような流れとなる。
【００５１】
なお、図５（ａ）は、情報通信装置１００からの問い合わせドメイン名がＥＮＵＭ用ＤＮＳ１９０に登録されている場合の例を示す図であり、図５（ｂ）は、情報通信装置１００からの問い合わせドメイン名がＥＮＵＭ用ＤＮＳ１９０に登録されていない場合の例を示す図である。
【００５２】
図５（ａ）に示すように、情報通信装置１００が相手局端末１０の端末識別番号に対応したファクシミリ通信電話番号に基づきＥＮＵＭ用ＤＮＳ１９０に対して問い合わせを行うことで、ＥＮＵＭ用ＤＮＳ１９０から情報通信装置１００へＮＡＰＴＲ−ＲＲ情報５２０が返信される。
【００５３】
また、図５（ｂ）に示すように、情報通信装置１００の端末識別番号のドメイン名５１０の問い合わせに対してドメイン名５１０がＥＮＵＭ用ＤＮＳ１９０に登録されていない場合は、当該ドメイン名５１０のＮＡＰＴＲ−ＲＲ情報がＥＮＵＭ用ＤＮＳ１９０に登録されていない旨の情報５２１がＥＮＵＭ用ＤＮＳ１９０から情報通信装置１００へ返信される。
【００５４】
ＥＮＵＭ用ＤＮＳ１９０から返信された情報５２０または情報５２１は、インターネット１８０及び構内ネットワーク１７０を介して情報通信装置１００のネットワークインタフェース１０９へ入力され、更にＴＣＰ／ＵＤＰ／ＩＰ制御部１０８を介してＥＮＵＭ用ＤＮＳ処理部１５０へ入力され、ＥＮＵＭ用ＤＮＳ処理部１５０が相手局端末１０に関連するＵＲＬ情報の問い合わせ結果をシステム制御部１０１へ通知する。
【００５５】
具体的には、ＥＮＵＭ用ＤＮＳ処理部１５０がシステム制御部１０１の命令指示に基づきＥＮＵＭ用ＤＮＳ１９０からＮＡＰＴＲ−ＲＲ情報５２０が返信された場合は、ＮＡＰＴＲ−ＲＲ情報５２０からＵＲＬ情報を取り出し、取り出したＵＲＬ情報とＵＲＬ情報が取得できた旨とをシステム制御部１０１へ通知する。
【００５６】
また、問い合わせのドメイン名に対応付けされたＮＡＰＴＲ−ＲＲ情報が登録されていない旨の情報５２１がＥＮＵＭ用ＤＮＳ１９０から返信された場合は、相手局端末１０のＵＲＬ情報が取得できなかった旨をシステム制御部１０１へ通知する。
【００５７】
システム制御部１０１は、ＥＮＵＭ用ＤＮＳ１９０に対する問い合わせの結果、相手局端末１０のＵＲＬ情報が取得できた場合は（ステップＳ３０４でＹＥＳ）、取得したＵＲＬ情報を相手局情報の一つとして通信装置１００の操作／表示部１０５の表示パネルに表示させる制御を行い、図６（ａ）に示すような相手局端末１０に関連するＵＲＬ情報を含めた情報を表示させる（ステップＳ３０５）。
【００５８】
また、ステップＳ３０４において、相手局端末１０のＵＲＬ情報が取得できなかった場合は（ステップＳ３０４でＮＯ）、相手局情報の一つとして相手局端末１０の端末識別番号を操作／表示部１０５の表示パネルに表示させる制御を行い、図６（ｂ）に示すような相手局端末１０の端末識別番号を含めた情報を表示させる（ステップＳ３０６）。
【００５９】
その後、ファクシミリ通信の受信処理を継続し（ステップＳ３０７）、受信処理が終了すると（ステップＳ３０８）、前述のステップＳ３０４での相手局端末１０のＵＲＬ情報が取得されたか否かの結果に応じた通信記録情報をＲＡＭ１０６の通信記録情報を記録する記憶領域に書き込んだ後、処理を終了する。
【００６０】
具体的には、ステップＳ３０９において、前述のステップＳ３０４でＵＲＬ情報が取得された場合は（ステップＳ３０９でＹＥＳ）、相手局端末１０に関連するＵＲＬ情報を含めた通信記録情報を記憶領域に書込み（ステップＳ３１０）、ＵＲＬ情報が取得されなかった場合は（ステップＳ３０９でＮＯ）、相手局端末１０のＵＲＬ情報を含まない通信記録情報を記憶領域に書込む（ステップＳ３１１）。
【００６１】
このように本発明に係わる情報通信装置１００は、ファクシミリ通信を受信した時に、ファクスミリ通信の発呼側である相手局の端末識別番号に基づき相手局に関するＵＲＬ情報をＥＮＵＭ用ＤＮＳに問い合わせて取得し、取得したＵＲＬ情報を含む相手局に関する情報を情報通信装置１００の表示パネルに出力表示する。
【００６２】
次に、情報通信装置１００が通信履歴レポートを出力する際の通信履歴レポート出力処理の要部の処理動作について図７に示すフローチャートを参照して説明する。
【００６３】
図７に示すように、ユーザが情報通信装置１００の操作／表示部１０５で各種操作キーの所定の操作を行うことにより通信履歴レポートの出力指示がなされると（ステップＳ７０１）、システム制御部１０１がＲＡＭ１０６の通信記録情報が格納された記憶領域から通信記録情報を１件読み込み（ステップＳ７０２）、読込んだ通信記録情報中にＵＲＬ情報が書込まれているか否かを判別する（ステップＳ７０３）。
【００６４】
なお、ＲＡＭ１０６に格納された通信記録情報には、通信日付、通信時間（開始時間、終了時間等）、通信相手電話番号、通信相手端末識別番号、通信相手ＵＲＬ情報等の情報が１通信毎に記録されて格納されている。
【００６５】
読み込んだ通信記録情報にＵＲＬ情報が書込まれている場合は（ステップＳ７０３でＹＥＳ）、通信履歴レポートの相手局情報にＵＲＬ情報を含めた１通分の通信履歴レポート画像を作成する（ステップＳ７０４）。
【００６６】
また、ステップＳ７０３において、通信記録情報にＵＲＬ情報が書込まれていない場合は（ステップＳ７０３でＮＯ）、通信履歴レポートの相手局情報にＵＲＬ情報を含まない１通分の通信履歴レポート画像を作成する（ステップＳ７０５）。
【００６７】
ステップＳ７０３からステップＳ７０４もしくはステップＳ７０５と同様な処理をＲＡＭ１０６の通信記録情報が格納された記憶領域から次の通信記録情報を順次１件ずつ読み込み、規定通信件数分行い（ステップＳ４０６でＮＯ）、規定件数分の通信履歴レポート画像が作成された所でプリンタ部１０５を介して規定件数分の通信履歴レポートを印刷出力し、処理を終了する（ステップＳ７０６でＹＥＳ、ステップＳ７０７）。
【００６８】
このように本発明に係わる情報通信装置１００は、ファクシミリ通信を受信した時に、ファクスミリ通信の発呼側である相手局の端末識別番号に基づき相手局に関するＵＲＬ情報をＥＮＵＭ用ＤＮＳに問い合わせて取得し、取得した相手局のＵＲＬ情報を含めた通信履歴レポートに出力する。
【００６９】
なお、ＥＮＵＭ用ＤＮＳから取得した相手局に関するＵＲＬ情報を受信ヘッダに出力するようにしてもよい。
【００７０】
これまでの説明では、ファクシミリ通信を受信した際には情報通信装置１００が通信相手の端末識別番号に基づきＥＮＵＭ用ＤＮＳ１９０に問い合わせて通信相手に関するＵＲＬ情報を取得する例を示したが、通信相手の端末識別番号の他に交換機側から送信される通信相手の発呼側電話番号に基づきＥＮＵＭ用ＤＮＳ１９０に問い合わせて通信相手に関するＵＲＬ情報を取得する構成としてもよい。
【００７１】
この場合は、交換機側から送信される通信相手の発呼側電話番号が受信可能な機能を前述で示した情報通信装置１００が備えるような構成とすればよい。
【００７２】
このファクシミリ通信を受信した場合に交換機側から送信される通信相手の発呼側電話番号に基づきＥＮＵＭ用ＤＮＳ１９０から通信相手に関連するＵＲＬ情報して出力する処理動作の詳細について図８に示すフローチャートを参照して説明する。
【００７３】
なお、交換機側から送信される通信相手の発呼側電話番号が受信可能な機能を備えた他は、情報通信装置１００と同様な構成を有する情報通信装置を説明の便宜上、情報通信装置１１０とし、情報通信装置１１０の情報通信装置１００と同様な構成の各部は、情報通信装置１００と同一符号を用いて説明する。
【００７４】
図８に示すように、情報通信装置１１０のシステム制御部１０１は、公衆網電話回線２００を介して相手局端末１０からの発呼受け、相手局端末１０と情報通信装置２００との間で所定の信号が送受信された後、図示せぬ交換機側から送信された相手局端末１０の発呼側電話番号を読み取る（ステップＳ８０１）。
【００７５】
システム制御部１０１により読み取られた相手局端末１０の発呼側電話番号に基づきＥＮＵＭ用ＤＮＳ処理部１３０が当該発呼側電話番号をＥＮＵＭ形式のアドレスに変換後（ステップＳ８０２）、変換されたＥＮＵＭ形式のアドレス情報に基づきＥＮＵＭ用ＤＮＳ１９０に対して問い合わせを行う（ステップＳ８０３）。
【００７６】
発呼側電話番号からＥＮＵＭ形式のアドレスに変換する方法は、前に述べたように日本の市外局番から始まる電話番号を基に、先頭の「０」を削除し、Ｅ．１６４番号規定に基づき日本国の国コード「８１」を付加して数字以外の記号を除いて数字間にドット「．」を付加し、更に数字を逆順にして末尾に文字列「．ｅ１６４．ａｒｐａ」を付加した文字列のドメイン名に変換する。
【００７７】
このように変換して得られたドメイン名は、ＴＣＰ／ＵＤＰ／ＩＰ制御部１０８とネットワークインタフェース１０９及び構内ネットワーク１７０を介してインターネット１８０に接続されたＥＮＵＭ用ＤＮＳ１９０に送信され、当該ドメイン名に対応したＮＡＰＴＲ−ＲＲ情報が参照され、参照結果がＥＮＵＭ用ＤＮＳ１９０から情報通信装置１００へ通知される。
【００７８】
情報通信装置１１０のシステム制御部１０１は、ＥＮＵＭ用ＤＮＳ１９０に対する問い合わせの結果、相手局端末１０の発呼側電話番号に対応するＵＲＬ情報が取得できた場合は（ステップ８３０４でＹＥＳ）、取得したＵＲＬ情報を相手局情報の一つとして情報通信装置１１０の操作／表示部１０５の表示パネルに表示させる制御を行い、相手局端末１０に関連するＵＲＬ情報を含めた情報を表示させる（ステップＳ８０５）。
【００７９】
また、ステップ８０４において、相手局端末１０に関連するＵＲＬ情報が取得できなかった場合は（ステップＳ８０４でＮＯ）、相手局情報の一つとして相手局端末１０の発呼側電話番号を操作／表示部１０５の表示パネルに表示させる制御を行い、相手局端末１０の発呼側電話番号を含めた情報を表示させる（ステップＳ８０６）。
【００８０】
その後、ファクシミリ通信の受信処理を継続し（ステップＳ８０７）、受信処理が終了すると（ステップＳ８０８）、前述のステップＳ８０４で相手局端末１０に関連するＵＲＬ情報が取得されたか否かの結果に応じた通信記録情報をＲＡＭ１０６の通信記録情報を記録する記憶領域に書き込んだ後、処理を終了する。
【００８１】
具体的には、ステップＳ８０９において、前述のステップＳ８０４でＵＲＬ情報が取得された場合は（ステップＳ８０９でＹＥＳ）、相手局端末１０に関連するＵＲＬ情報を含めた通信記録情報を記憶領域に書込み（ステップＳ８１０）、ＵＲＬ情報が取得されなかった場合は（ステップＳ８０９でＮＯ）、相手局端末１０のＵＲＬ情報を含まない通信記録情報を記憶領域に書込む（ステップＳ８１１）。
【００８２】
このように本発明に係わる情報通信装置１１０は、ファクシミリ通信を受信した時に交換機側から送信される相手局端末１０の発呼側電話番号に基づき相手局端末１０に関するＵＲＬ情報をＥＮＵＭ用ＤＮＳに問い合わせて取得し、取得したＵＲＬ情報を含む通信相手に関する情報を情報通信装置１１０の表示パネルに出力表示する。
【００８３】
また、情報通信装置１１０が通信履歴レポートを出力する際には前述の情報通信装置１００の通信履歴レポート出力処理の処理動作（図７参照）と同様に、読み込んだ通信記録情報にＵＲＬ情報が書き込まれている場合は、通信履歴レポートの相手局情報にＵＲＬ情報を含めた通信履歴の通信履歴レポート画像を作成し、また、通信記録情報にＵＲＬ情報が書き込まれていない場合は、通信履歴レポートの相手局情報に相手局端末１０に関するＵＲＬ情報を含まない通信履歴の通信履歴レポート画像を作成して印刷出力する。
【００８４】
これまでの説明では、ファクシミリ通信を受信した際には情報通信装置１００が通信相手の端末識別番号もしくは発呼側電話番号の何れかに基づきＥＮＵＭ用ＤＮＳ１９０に問い合わせて通信相手に関するＵＲＬ情報を取得する例を示したが、最初に通信相手の端末識別番号でＥＮＵＭ用ＤＮＳ１９０に問い合わせを行い、通信相手に関するＵＲＬ情報が取得できなければ通信相手の発呼側電話番号でＥＮＵＭ用ＤＮＳ１９０に問い合わせるかもしくは最初に通信相手の発呼側電話番号でＥＮＵＭ用ＤＮＳ１９０に問い合わせを行い、通信相手に関するＵＲＬ情報が取得できなければ通信相手の端末識別番号でＥＮＵＭ用ＤＮＳ１９０に問い合わせて通信相手に関連するＵＲＬ情報を取得する構成としてもよい。
【００８５】
この場合の本発明に係わる情報通信装置の処理動作の詳細について図９及び図１０に示すフローチャートを参照して説明する。
【００８６】
なお、図９は、最初に通信相手の端末識別番号でＥＮＵＭ用ＤＮＳ１９０に問い合わせを行い、通信相手に関するＵＲＬ情報が取得できなければ通信相手の発呼側電話番号でＥＮＵＭ用ＤＮＳ１９０に問い合わせて通信相手に関連するＵＲＬ情報を取得する処理動作を示すフローチャートであり、図１０は、最初に通信相手の発呼側電話番号でＥＮＵＭ用ＤＮＳ１９０に問い合わせを行い、通信相手に関するＵＲＬ情報が取得できなければ通信相手の端末識別番号でＥＮＵＭ用ＤＮＳ１９０に問い合わせて通信相手に関連するＵＲＬ情報を取得する処理動作を示すフローチャートである。
【００８７】
なお、図９に示す処理を行うように構成された情報通信装置を情報通信装置１１１、図１０に示す処理を行うように構成された情報通信装置を情報通信装置１１２とし、各情報通信装置１１１、１１２において情報通信装置１００と同様な構成の各部は、情報通信装置１００と同一符号を用いて説明する。
【００８８】
図９に示すように、情報通信装置１１１のシステム制御部１０１は、公衆網電話回線２００を介して相手局端末１０からの発呼を受信し、相手局端末１０と情報通信装置１１１との間で所定の信号が送受信された後、相手局端末１０から送信された信号に含まれる相手局端末１０の端末識別番号と図示せぬ交換機側から送信された相手局端末１０の発呼側電話番号を読み取る（ステップＳ９０１）。
【００８９】
システム制御部１０１により読み取られた相手局端末１０の端末識別番号に基づきＥＮＵＭ用ＤＮＳ処理部１３０が当該端末識別番号をＥＮＵＭ形式のアドレスに変換後（ステップＳ９０２）、変換されたＥＮＵＭ形式のアドレス情報に基づきＥＮＵＭ用ＤＮＳ１９０に対して問い合わせを行う（ステップＳ９０３）。
【００９０】
情報通信装置１１１のシステム制御部１０１は、ＥＮＵＭ用ＤＮＳ１９０に対する問い合わせの結果、相手局端末１０の端末識別番号に対応するＵＲＬ情報が取得できた場合は（ステップ８９０４でＹＥＳ）、取得したＵＲＬ情報を相手局情報の一つとして情報通信装置１１０の操作／表示部１０５の表示パネルに表示させる制御を行い、相手局端末１０に関連するＵＲＬ情報を含めた情報を表示させる（ステップＳ９０５）。
【００９１】
また、ステップ９０４において、相手局端末１０に関連するＵＲＬ情報が取得できなかった場合（ステップＳ９０４でＮＯ）、システム制御部１０１により読み取られた相手局端末１０の発呼側電話番号に基づきＥＮＵＭ用ＤＮＳ処理部１３０が当該発呼側電話番号をＥＮＵＭ形式のアドレスに変換後（ステップＳ９０６）、変換されたＥＮＵＭ形式のアドレス情報に基づきＥＮＵＭ用ＤＮＳ１９０に対して問い合わせを行う（ステップＳ９０７）。
【００９２】
情報通信装置１１１のシステム制御部１０１は、ＥＮＵＭ用ＤＮＳ１９０に対する問い合わせの結果、相手局端末１０の発呼側電話番号に対応するＵＲＬ情報が取得できた場合は（ステップ８９０８でＹＥＳ）、取得したＵＲＬ情報を相手局情報の一つとして情報通信装置１１０の操作／表示部１０５の表示パネルに表示させる制御を行い、相手局端末１０に関連するＵＲＬ情報を含めた情報を表示させる（ステップＳ９０９）。
【００９３】
また、ステップ９０８において、相手局端末１０に関連するＵＲＬ情報が取得できなかった場合（ステップＳ９０８でＮＯ）、相手局情報の一つとして相手局端末１０の発呼側電話番号または端末識別番号を操作／表示部１０５の表示パネルに表示させる制御を行い、相手局端末１０の発呼側電話番号または端末識別番号を含めた情報を表示させる（ステップＳ９１０）。
【００９４】
ステップＳ９０５及びステップＳ９０９において、情報通信装置１１１の操作／表示部１０５に相手局端末１０に関連するＵＲＬ情報を含めた情報を表示後もしくはステップＳ９１０において、情報通信装置１１１の操作／表示部１０５に相手局端末１０の端末識別番号や発呼側電話番号を表示後、ファクシミリ通信の受信処理を継続し（ステップＳ９１１）、受信処理が終了すると（ステップＳ９１２）、前述のステップＳ９０４及びステップＳ９０８での情報通信装置１１０に関連するＵＲＬ情報が取得されたか否かの結果に応じた通信記録情報をＲＡＭ１０６の通信記録情報を記録する記憶領域に書き込んだ後、処理を終了する。
【００９５】
具体的には、ステップＳ９１３において、前述のステップＳ９０４もしくはステップＳ９０８でＵＲＬ情報が取得された場合は（ステップＳ９１３でＹＥＳ）、相手局端末１０に関連するＵＲＬ情報を含めた通信記録情報を記憶領域に書込み（ステップＳ９１４）、ＵＲＬ情報が取得されなかった場合は（ステップＳ９１３でＮＯ）、相手局端末１０に関連するＵＲＬ情報を含まない通信記録情報を記憶領域に書き込む（ステップＳ９１５）。
【００９６】
このように本発明に係わる情報通信装置１１１は、ファクシミリ通信を受信した時に、最初に相手局の端末識別番号に基づきＥＮＵＭ用ＤＮＳ１９０に対して相手局のＵＲＬ情報の問い合わせを行い、ＵＲＬ情報が取得できなければ、相手局の発呼側電話番号に基づきＥＮＵＭ用ＤＮＳ１９０に対して相手局のＵＲＬ情報の問い合わせを行なって相手局のＵＲＬ情報を取得し、取得したＵＲＬ情報を含む相手局の情報を情報通信装置１１１の表示パネルに出力表示する。
【００９７】
また、図１０に示すように、情報通信装置１１２のシステム制御部１０１は、公衆網電話回線２００を介して相手局端末１０からの発呼を受信し、相手局端末１０と情報通信装置１１２との間で所定の信号が送受信された後、相手局端末１０から送信された信号に含まれる相手局端末１０の端末識別番号と図示せぬ交換機側から送信された相手局端末１０の発呼側電話番号を読み取る（ステップＳ１００１）。
【００９８】
システム制御部１０１により読み取られた相手局端末１０の発呼側電話番号に基づきＥＮＵＭ用ＤＮＳ処理部１３０が当該発呼側電話番号をＥＮＵＭ形式のアドレスに変換後（ステップＳ１００２）、変換されたＥＮＵＭ形式のアドレス情報に基づきＥＮＵＭ用ＤＮＳ１９０に対して問い合わせを行う（ステップＳ１００３）。
【００９９】
情報通信装置１１２のシステム制御部１０１は、ＥＮＵＭ用ＤＮＳ１９０に対する問い合わせの結果、相手局端末１０のＵＲＬ情報が取得できた場合は（ステップＳ１００４でＹＥＳ）、取得したＵＲＬ情報を相手局情報の一つとして情報通信装置１１２の操作／表示部１０５の表示パネルに表示させる制御を行い、相手局端末１０のＵＲＬ情報を含む相手局に関する情報を表示させる（ステップＳ１００５）。
【０１００】
また、ステップ１００４において、相手局端末１０に関連するＵＲＬ情報が取得できなかった場合（ステップＳ１００４でＮＯ）、システム制御部１０１により読み取られた相手局端末１０の端末識別番号に基づきＥＮＵＭ用ＤＮＳ処理部１３０が当該端末識別番号をＥＮＵＭ形式のアドレスに変換後（ステップＳ１００６）、変換されたＥＮＵＭ形式のアドレス情報に基づきＥＮＵＭ用ＤＮＳ１９０に対して問い合わせを行う（ステップＳ１００７）。
【０１０１】
情報通信装置１１２のシステム制御部１０１は、ＥＮＵＭ用ＤＮＳ１９０に対する問い合わせの結果、相手局端末１０の端末識別番号に対応するＵＲＬ情報が取得できた場合は（ステップＳ１００８でＹＥＳ）、取得したＵＲＬ情報を相手局情報の一つとして情報通信装置１１２の操作／表示部１０５の表示パネルに表示させる制御を行い、相手局端末１０に関連するＵＲＬ情報を含めた情報を表示させる（ステップＳ１００９）。
【０１０２】
また、ステップ１００８において、相手局端末１０に関連するＵＲＬ情報が取得できなかった場合（ステップＳ１００８でＮＯ）、相手局情報の一つとして相手局端末１０の端末識別番号や発呼側電話番号を操作／表示部１０５の表示パネルに表示させる制御を行い、相手局端末１０の端末識別番号や発呼側電話番号を含めた情報を表示させる（ステップＳ１０１０）。
【０１０３】
ステップＳ１００５及びステップＳ１００９において、情報通信装置１１２の操作／表示部１０５に相手局端末１０に関連するＵＲＬ情報を含めた情報を表示後もしくはステップＳ１０１０において、情報通信装置１１１の操作／表示部１０５に相手局端末１０の端末識別番号や発呼側電話番号を表示後、ファクシミリ通信の受信処理を継続し（ステップＳ１０１１）、受信処理が終了すると（ステップＳ１０１２）、前述のステップＳ１００４及びステップＳ１００８での相手局端末１０に関連するＵＲＬ情報が取得されたか否かの結果に応じた通信記録情報をＲＡＭ１０６の通信記録情報を記録する記憶領域に書き込んだ後、処理を終了する。
【０１０４】
具体的には、ステップＳ１０１３において、前述のステップＳ１００４もしくはステップＳ１００８でＵＲＬ情報が取得された場合は（ステップＳ１０１３でＹＥＳ）、相手局端末１０に関連するＵＲＬ情報を含めた通信記録情報を記憶領域に書込み（ステップＳ１０１４）、ＵＲＬ情報が取得されなかった場合は（ステップＳ１０１３でＮＯ）、相手局端末１０に関連するＵＲＬ情報を含まない通信記録情報を記憶領域に書き込む（ステップＳ１０１５）。
【０１０５】
このように本発明に係わる情報通信装置１１０は、ファクシミリ通信を受信した場合は、最初に通信相手の端末識別番号でＥＮＵＭ用ＤＮＳ１９０に問い合わせを行い、通信相手に関するＵＲＬ情報が取得できなければ通信相手の発呼側電話番号でＥＮＵＭ用ＤＮＳ１９０に問い合わせるか、もしくは最初に通信相手の発呼側電話番号でＥＮＵＭ用ＤＮＳ１９０に問い合わせを行い、通信相手に関するＵＲＬ情報が取得できなければ通信相手の端末識別番号でＥＮＵＭ用ＤＮＳ１９０に問い合わせて通信相手に関連するＵＲＬ情報を取得して情報通信装置１１２の表示パネルに出力表示する。
【０１０６】
以上の説明では、ファクシミリ通信を受信した時に、相手局の端末識別番号または発呼側電話番号に基づき相手局に関するＵＲＬ情報をＥＮＵＭ用ＤＮＳに問い合わせて取得する、もしくは最初に相手局の端末識別番号に基づき相手局に関するＵＲＬ情報をＥＮＵＭ用ＤＮＳに問い合わせを行い、ＵＲＬ情報が取得できない場合は、次に相手局の発呼側電話番号に基づき相手局に関するＵＲＬ情報をＥＮＵＭ用ＤＮＳに問い合わせて取得する、もしくは最初に相手局の発呼側電話番号に基づき相手局に関するＵＲＬ情報をＥＮＵＭ用ＤＮＳに問い合わせを行い、ＵＲＬ情報が取得できない場合は、次に相手局の端末識別番号に基づき相手局に関するＵＲＬ情報をＥＮＵＭ用ＤＮＳに問い合わせて取得し、取得したＵＲＬ情報を含む相手局に関する情報を出力する例を示したが、これらの処理を外部から変更可能なデータ(システムデータ)により制御できるように構成してもよい。
【図面の簡単な説明】
【０１０７】
【図１】本発明に係わる情報通信装置１００の接続状態の一例を示した概略図
【図２】本発明に係わる情報通信装置１００の機能的な構成例を示すブロック図
【図３】本発明に係わる情報通信装置１００の要部の処理動作を示す流れ図
【図４】ＥＮＵＭ用ＤＮＳ１９０に登録されたＮＡＰＴＲ−ＲＲ情報の一例を示す図
【図５】ＥＮＵＭ用ＤＮＳ１９０に問い合わせた際のデータの流れを示す図
【図６】情報通信装置１００の表示パネルに表示された相手局端末に関する情報の一例を示す図
【図７】情報通信装置１００の通信履歴レポート出力処理の要部の処理動作を示す流れ図
【図８】通信相手の発呼側電話番号に基づきＥＮＵＭ用ＤＮＳ１９０から通信相手に関連するＵＲＬ情報して取得する処理動作を示す流れ図
【図９】最初に通信相手の端末識別番号でＥＮＵＭ用ＤＮＳ１９０に問い合わせを行い、通信相手のＵＲＬ情報が取得できなければ通信相手の発呼側電話番号でＥＮＵＭ用ＤＮＳ１９０に問い合わせる処理動作を示す流れ図
【図１０】最初に通信相手の発呼側電話番号でＥＮＵＭ用ＤＮＳ１９０に問い合わせを行い、通信相手のＵＲＬ情報が取得できなければ通信相手の端末識別番号でＥＮＵＭ用ＤＮＳ１９０に問い合わせる処理動作を示す流れ図
【符号の説明】
【０１０８】
１０    相手局端末
２０    コンピュータ
３０    インターネットＦＡＸ装置
４０    ＥＮＵＭシステム
１００  情報通信装置      
１０１  システム制御部
１０２  画像蓄積部
１０３    スキャナ部
１０４    プリンタ部
１０５    操作／表示部    
１０６    ＲＡＭ
１０７    バス
１０８    ＴＣＰ／ＵＤＰ／ＩＰ制御部
１０９    ネットワークインタフェース
１２０    ＦＡＸ部
１２１、１５１  通信画像処理部
１２２    Ｔ３０制御部
１２３    モデム
１２４    ＮＣＵ
１３０    ＥＮＵＭ用ＤＮＳ処理部
１４０    トランスポートプロトコル制御部
１５０    電子メールｉＦＡＸ部
１５２    Ｔ３７制御部
１５３    ＳＭＴＰ制御部    
１７０    構内用ネットワーク
１８０    インターネット
１９０    ＥＮＵＭ用ＤＮＳ
２００    公衆網電話回線（ＰＳＴＮ）
４００  ＥＮＵＭ用ＤＮＳ１９０に登録されたＮＡＰＴＲ−ＲＲ情報
【図１】
2007088934.tif 000003
【図２】
2007088934.tif 000004
【図３】
2007088934.tif 000005
【図４】
2007088934.tif 000006
【図５】
2007088934.tif 000007
【図６】
2007088934.tif 000008
【図７】
2007088934.tif 000009
【図８】
2007088934.tif 000010
【図９】
2007088934.tif 000011
【図１０】
2007088934.tif 000012